(57)【要約】【課題】例えば雨水貯留浸透槽３などである地中埋設構造体の中をインフラ配管のような管部材２０が横断している構造を持つ地中構造物において、その施工を容易化するとともに、地震時や地盤の不等沈下等によって剪断力が作用して管部材２０が破損するのも効果的に回避できるようにする。【解決手段】地中構造物（雨水流出抑制施設１）は、内部に空間を有する樹脂製構造物３１の多数個を立体状に積み上げて形成される地中埋設構造体（雨水貯留浸透槽３）を備えており、そこには貫通孔１０が形成されている。貫通孔１０内を通過するようにして筒状のシート材１１が配置されており、筒状のシート材１１はその両端を雨水貯留浸透槽３の一方の側面３ａおよび他方の側面３ｂの双方からさらに双方の外側まで延出した幅を有している。地中に埋設した管部材２０が貫通孔１０内を通過しており、該管部材２０は、間に土砂あるいは砕石４ａが充填された状態で前記シート材１１によって覆われている。【選択図】図３
2011052400.tif 000002
【特許請求の範囲】
【請求項１】
内部に空間を有する樹脂製構造物の多数個を立体状に積み上げて形成される地中埋設構造体であって、
前記地中埋設構造体には、前記内部に空間を有する樹脂製構造物が部分的に積み上げられないことによって形成された一方の側面から他方の側面へ貫通する横断方向の貫通孔が形成されていることを特徴とする地中埋設構造体。
【請求項２】
請求項１に記載の地中埋設構造体が地中に埋設されており、該地中埋設構造体の前記横断方向の貫通孔内を通過するようにして筒状のシート材が配置されており、該筒状のシート材はその両端を地中埋設構造体の前記一方の側面および他方の側面の双方からさらに双方の外側まで延出しており、さらに前記貫通孔内を地中に埋設した管部材が横断方向に通過しており、該管部材は前記筒状のシート材によって覆われており、前記管部材と前記筒状のシート材の間には土砂あるいは砕石が充填されていることを特徴とする地中構造物。
【請求項３】
前記シート材がジオテキスタイルあるいはジオグリッドまたは両者を併用したものである請求項２に記載の地中構造物。
【請求項４】
前記地中埋設構造体が軽量盛土構造における軽量盛土層の一部または全部を構成している請求項２または３に記載の地中構造物。
【請求項５】
前記地中埋設構造体が雨水流出抑制施設における雨水貯留浸透槽の一部または全部を構成している請求項３に記載の地中構造物。
【発明の詳細な説明】
【技術分野】
【０００１】
本発明は、地中埋設構造体とその地中埋設構造体を構成の一部に持つ地中構造物に関する。
【背景技術】
【０００２】
内部に空間を有する樹脂製構造物の多数個を立体状に積み上げて形成される地中埋設構造体を、軽量盛土構造における軽量盛土層として用いた地中構造物、あるいは雨水流出抑制施設における雨水貯留浸透槽として用いた地中構造物は、特許文献１、２あるいは３等に記載されている。
【０００３】
そのような地中構造物を施工しようとする場合、施工すべき領域内に、電気ガスの配管や下水配管のような、既存のインフラ配管が存在する場合には、その領域に地中埋設構造体を埋設することができないので、本来は路線方向に連続したものとして施工すべき地中構造物を、その領域で分断せざるを得ないことが起こる。また、地中構造物が既に施工してある地域において、上記のようなインフラ配管を新たに設けることが必要となった場合には、既存の地中構造物の一部を撤去した後にインフラ配管の施工を行うか、インフラ配管の設置そのものを諦めるか、のいずれかを選択することが求められる。
【０００４】
そのような不都合を回避できるようにした雨水貯留浸透槽の一例が特許文献４に記載されており、該雨水貯留浸透槽は、内部に雨水を充填する充填部材を備え、一方の側面および他方の側面に面する充填部材に、側方を閉塞する側板部材が取り付けられ、一方の側板部材および他方の側板部材にはさや管の外面形状と同一形状の貫通孔部が設けられ、前記さや管は、一方の貫通孔部から他方の貫通孔部に挿し通されるようになっている構造を備えている。
【先行技術文献】
【特許文献】
【０００５】
【特許文献１】特開２００９−０２４４４７号公報
【特許文献２】特開２００８−００８０７５号公報
【特許文献３】特開２００６−２６６０３４号公報
【特許文献４】特開２００９−６８１８４号公報
【発明の概要】
【発明が解決しようとする課題】
【０００６】
特許文献４に記載される構造を備えた雨水貯留浸透槽を採用することによって、インフラ配管を雨水貯留浸透槽の内部を横断するようにして通過させることが可能となる。それにより、既にインフラ配管が埋設されている地域に新たに雨水貯留浸透槽を施工する場合であっても、またその逆の場合であっても、雨水貯留浸透槽を、途中で中断することなく、路線方向に沿って距離の長い構造で構築することができる。
【０００７】
しかし、この構造の雨水貯留浸透槽では、従来の雨水貯留浸透槽のための構成要素（内部に雨水を充填する充填部材）に加えて、新たに、貫通孔を備えた充填部材、側方を閉塞する側板部材、あるいはさや管、等の部材を必要とし、部品点数が増加すること加えて、インフラ配管の位置と充填部材に形成した貫通孔の位置とを正確に位置合わせする等、施工に慎重な作業が求められる。
【０００８】
さらに、地震時や地盤の不等沈下などにより地盤が移動したときに、あるいは大きな上載荷重が作用したときに、雨水貯留浸透槽本体とそれを囲む周囲の土壌との間に相対的な移動が生じる場合があるが、インフラ配管が雨水貯留浸透槽本体を構成する充填部材に対して固定的に接続している構成では、前記相対的移動によってインフラ配管に剪断力が生じてしまい、雨水貯留浸透槽本体との接続部近傍でインフラ配管が破損する恐れもある。
【０００９】
本発明は、上記のような事情に鑑みてなされたものであり、例えば雨水貯留浸透槽などである地中埋設構造体の中をインフラ配管のような管部材が横断している構造を持つ地中構造物において、その施工を容易化するとともに、地震時や地盤の不等沈下等によって生じる剪断応力によって管部材が破損するのを回避できるようにした、地中埋設構造体および地中構造物を開示することを課題とする。
【課題を解決するための手段】
【００１０】
本発明による地中埋設構造体は、内部に空間を有する樹脂製構造物の多数個を立体状に積み上げて形成される地中埋設構造体であって、前記地中埋設構造体には、前記樹脂製構造物が部分的に積み上げられないことによって形成された一方の側面から他方の側面へ貫通する横断方向の貫通孔が形成されていることを特徴とする。
【００１１】
また、本発明による地中構造物は、上記の地中埋設構造体が地中に埋設されており、その地中埋設構造体の前記横断方向の貫通孔内を通過するようにして筒状のシート材が配置されており、該筒状のシート材はその両端を地中埋設構造体の前記一方の側面および他方の側面の双方からさらに双方の外側にまで延出しており、さらに、前記貫通孔内を地中に埋設した管部材が横断方向に通過しており、該管部材は前記筒状のシート材によって覆われており、前記管部材と前記筒状のシート材の間には土砂あるいは砕石が充填されていることを特徴とする。
【００１２】
本発明による地中埋設構造体は、内部に空間を有する樹脂製構造物の多数個を立体状に積み上げて形成される。そのために、任意の大きさあるいは形状の地中埋設構造体を容易に作ることができるとともに、その樹脂製構造物を部分的に積み上げないことによって、地中埋設構造体内に、その一方の側面から他方の側面へ横断方向に貫通する貫通孔も容易に形成することができる。また、前記貫通孔の大きさおよび形状も、前記樹脂製構造物を積み上げ状態を適宜選択することで、任意に設定することができる。
【００１３】
本発明による地中構造物では、そのようにして形成される地中埋設構造体の前記横断方向の貫通孔内を、前記インフラ配管等の管部材が横断方向に通過しているが、前記管部材と地中埋設構造体との間には、両端を地中埋設構造体の前記一方の側面および他方の側面の双方からさらに双方の外側にまで延出した状態でシート材が存在しており、かつ、管部材は、その間に充填された土砂あるいは砕石と前記筒状のシートとによって覆われている。そのために、地盤の不等沈下等によって、地中埋設構造体と周囲の土壌との間に相対的に移動が発生する状況になったときに、その力は前記シート材によって受け止められ、管部材に剪断方向の応力として作用するのを抑制できる。結果として、地盤の不等沈下等によって管部材が剪断力によって破損するのを、効果的に防止することができる。
【００１４】
本発明においてシート材は、透水性がありかつ所要の機械的強度を持つ材料で作られたものを採用できる。合成樹脂製や金属製あるいはこれらの複合材からなるものであってもよい。より好ましくは、土木などの用途で広く用いられているジオテキスタイルまたは引張強度に優れたジオグリッドが好適である。ジオグリットの一例として、ポリエステル繊維とアラミド繊維を交繊させたグリッド状の織物を樹脂でコーティングしたファイバーグリッド系ジオグリッドが挙げられる。引張強度は５０ｋＮ／ｍ〜２００ｋＮ／ｍ程度であり、重量が５０ｇ／ｍ２〜１０００ｇ／ｍ２であり、延び歪みが１０％以下であり、軽量であるにもかかわらず強靭で高張力であるといった特性を有する。目合いは、例えば１０ｍｍ〜５０ｍｍのものがよい。他に、ポリエチレンネットタイプの縦ストランドを、アラミド繊維で補強したポリマーグリッド系ジオグリッドも挙げられる。さらに、ジオテキスタイルには、織布（ジオウォーブン）、不織布（ジオノンウォーブン）、編物（ジオニット）が含まれる。
【００１５】
本発明における地中構造物は、任意の地中構造物であってよい。例として、地中埋設構造体が軽量盛土構造における軽量盛土層の一部または全部を構成している地中構造物、あるいは、地中埋設構造体が雨水流出抑制施設における雨水貯留浸透槽の一部または全部を構成している地中構造物が挙げられる。
【発明の効果】
【００１６】
本発明によれば、例えば雨水貯留浸透槽などである地中埋設構造体の中をインフラ配管のような管部材が横断している構造を持つ地中構造物において、その施工を容易化するとともに、地震時や地盤の不等沈下等によって管部材が剪断応力によって破損するのを効果的に回避することのできる地中埋設構造体および地中構造物が得られる。
【図面の簡単な説明】
【００１７】
【図１】本発明による地中構造物が雨水流出抑制施設である場合でのその施工途中の状態を説明する図。
【図２】図１に続く図であって、施工終了後の雨水流出抑制施設を示す図。
【図３】図２に示す雨水流出抑制施設の雨水貯留浸透槽部分を路線方向に直交する方向で示した図。
【図４】本発明による雨水貯留浸透槽を構成する内部に空間を有する樹脂製構造物の一例を説明する図。
【発明を実施するための形態】
【００１８】
以下、図面を参照しながら、本発明の実施の形態の一例を説明する。
図１および図２に示す雨水流出抑制施設１は、本発明による地中構造物の一実施の形態である。この雨水流出抑制施設１は、取水桝あるいは管理桝２と、本発明による地中埋設構造体の一実施の形態である雨水貯留浸透槽３を備える。雨水貯留浸透槽３は路線方向Ｒに沿って所要距離に亘って形成されるものであり、図３に示すように、路線方向Ｒに平行な面である一方の側面３ａと他方の側面３ｂとを有し、該一方の側面３ａと他方の側面３ｂを貫通するようにして、すなわち、雨水貯留浸透槽３を横断するようにして、貫通孔１０が形成されている。そして、該貫通孔１０内を、例えば下水管であるインフラ用の管部材２０が通過する。
【００１９】
雨水貯留浸透槽３は、図４に一例を示すような、内部に空間を有する樹脂製構造物３１の多数個を立体状に積み上げて形成されている。なお、この形態の樹脂製構造物３１はすでに知られており、前記した特許文献１（特開２００９−０２４４４７号公報）、特許文献２（特開２００８−００８０７５号公報）等に記載されている。図４に示す、内部に空間を有する樹脂製構造物３１は、特許文献１に記載されるものであり、下端が開放し内部に空間を有する箱状部３２ａの複数個が間隔を空けながらＸ方向に配列した箱列３２が、Ｘ方向に直交するＹ方向に間隔を空けながら必要列数だけ配列した構成を基本的に備える。図４に示すように、内部に空間を有する樹脂製構造物３１の多数枚を、前記箱列３２の方向が交互に直角に交差した姿勢で立体姿勢に積み上げることにより、雨水貯留浸透槽３とされる。必要な場合には、異なった大きさの複数個の内部に空間を有する樹脂製構造物３１を寄せ集めて雨水貯留浸透槽３の一部を構成する。
【００２０】
以下、前記した雨水流出抑制施設１をその施工手順とともに詳細に説明する。雨水流出抑制施設１を施工する当たり、図１に示すように、所定深さに路線方向Ｒに沿う掘削溝を地表面Ｌから掘削する。掘削溝の支持地盤の上に砕石のような砕石４を敷き詰めて均平化し、不織布のような透水性シート５を配置する。そして、透水性シート５の上に、雨水貯留浸透槽３を構成する最下段の内部に空間を有する樹脂製構造物３１Ａを置く。次に、下から二段目の内部に空間を有する樹脂製構造物３１Ｂを、内部に空間を有する樹脂製構造物３１Ａに対して直角に交差した姿勢で積層する。以下、同様にして必要段数だけ内部に空間を有する樹脂製構造物３１を積み上げる。
【００２１】
前記した貫通孔１０を形成すべき場所においては、図１に示すように、寸法の小さい内部に空間を有する樹脂製構造物３１Ｃを用い、それを、貫通孔１０を形成すべき場所を除いた領域に所要高さに積み上げる。それにより、路線方向に所定の幅Ｗを持つ所要高さの空所領域１０ａ、すなわち、前記した内部に空間を有する樹脂製構造物３１Ｃが積み上げられない空所領域１０ａが、路線方向に直交する方向である横断方向に形成される。
【００２２】
形成された空所領域１０ａの内面に沿うようにして、前記した透水性シート５と同様の透水性シート５ａを配置し、さらにその内側に、例えばジオテキスタイルであるシート材１１を積層状に配置する。その際に、少なくともシート材１１は、図３に示すように、雨水貯留浸透槽３の一方の側面３ａおよび他方の側面３ｂの双方からさらに双方の外側まで、例えば５０〜２００ｃｍ程度まで延出した横幅のものを用いる。
【００２３】
配置したシート材１１の上方から、前記空所領域１０ａ内に、前記した管部材２０を配置するとともに、前記管部材２０と前記シート材１１の間に土砂あるいは砕石４ａを充填する。そして、前記管部材２０の両端を、例えば下水本管２１や図示しない下水桝に接続するとともに、前記した空所領域１０ａの上位面程度にまで、土壌の埋め戻しを行う。その際に、前記したシート材１１が雨水貯留浸透槽３の一方の側面３ａおよび他方の側面３ｂの双方からさらに双方の外側まで延出している部分の上も土砂または砕石等での埋め戻しを行い、その後、前記シート材１１を筒状に巻き込み、間に土砂あるいは砕石が充填された状態で前記管部材２０をシート材１１で覆い込むようにする。
【００２４】
次に、内部に空間を有する樹脂製構造物３１Ｃの上に、最下段に配置した内部に空間を有する樹脂製構造物３１Ａと同じ形状の内部に空間を有する樹脂製構造物３１を、必要段数だけさらに交互に積み重ねる。そして、積み重ねた樹脂製構造物３１の全体を、前記した透水性シート５で包み込み、さらに地表面までの埋め戻しを行う。同時に、前記した流入桝または管理桝２の施工も行い、雨水貯留浸透槽３と流入桝または管理桝２とを適宜の配管６によって接続する。
【００２５】
図示される雨水流出抑制施設１では、雨水貯留浸透槽３は雨水流入桝２と繋がっており、雨水量が多いときに、雨水が雨水流入桝２から雨水貯留浸透槽３に入り込み、そこで一時的に貯留される。貯留された雨水は、時間とともに透水性シート５を通って地中にゆっくりと浸透していくか、あるいは、図示しないオリフィスを持つ雨水流出路から適宜の河川等にゆっくりと放出される。また、図示しないが、雨水貯留浸透槽３は通常の道路側溝に繋がっていてもよい。なお、８は、雨水に含まれる砂等の固形物を除去するためのフィルターであり、２１は、雨水流入桝２の蓋である。
【００２６】
上記の雨水流出抑制施設１では、雨水貯留浸透槽３の前記貫通孔１０内を、インフラ配管である管部材２０が、雨水貯留浸透槽３側に直接には固定されない状態で、すなわち、間に土砂あるいは砕石４ａを介在させ、かつ雨水貯留浸透槽３の横幅よりも幅の広い筒状のシート材１１によって覆われた状態で通過している。そのために、地震時や地盤の不等沈下等によって、雨水貯留浸透槽３と周囲の土壌との間に相対的に移動が発生する状況になったときに、その力は前記幅の広いシート材１１によって受け止められ、相対移動が生じるのを抑制する。結果として、地盤の不等沈下等によって管部材２０に剪断力が作用するのを回避することが可能となり、管部材２０が破損するのを効果的に防止することができる。
【符号の説明】
【００２７】
１…地中構造物の一例である雨水流出抑制施設、
２…流入桝または管理桝、
３…地中埋設構造体の一例である雨水貯留浸透槽、
３１…内部に空間を有する樹脂製構造物、
３２ａ…下端が開放し内部に空間を有する箱状部、
３２…箱列（凸部からなる列）、
４…砕石、
４ａ…貫通孔内に充填した土砂または採石、
５、５ａ…透水性シート、
８…フィルター、
１０、１０ａ…樹脂製構造物が部分的に積み上げられないことによって形成された貫通孔、
１１…ジオテキスタイルあるいはジオグリッドのようなシート材、
２０…管部材。
【図１】
2011052400.tif 000003
【図２】
2011052400.tif 000004
【図３】
2011052400.tif 000005
【図４】
2011052400.tif 000006